(57)【特許請求の範囲】
【請求項１】
記録媒体が搬送される搬送路と、
前記搬送路に面し、前記搬送路側で開口する穴が設けられた搬送路板と、
前記搬送路側から前記穴を覆うように前記搬送路板に重なった状態で前記搬送路板に保持された搬送路カバーと、
を有することを特徴とする記録媒体処理装置。
【請求項２】
前記搬送路カバーは、板厚方向に可撓性を有する板からなることを特徴とする請求項１に記載の記録媒体処理装置。
【請求項３】
前記搬送路カバーは、前記記録媒体の搬送方向の両端側での前記搬送路板との係合によって前記搬送路板に保持されていることを特徴とする請求項２に記載の記録媒体処理装置。
【請求項４】
前記搬送路板は、前記記録媒体の搬送方向と平行な平板状の第１板部と、前記第１板部に前記記録媒体の搬送方向の一方側で連接し、前記搬送路から離間する方向に斜めに傾いた第２板部と、前記第１板部に前記記録媒体の搬送方向の他方側で連接し、前記搬送路から離間する方向に斜めに傾いた第３板部と、を有し、
前記搬送路カバーは、前記第１板部に重なる第１カバー部と、前記第２板部に重なる第２カバー部と、前記第３板部に重なる第３カバー部と、を有することを特徴とする請求項３に記載の記録媒体処理装置。
【請求項５】
前記第２カバー部からは、前記搬送路板の側面と重なるように延在して前記搬送路板の前記搬送路とは反対側の面に重なる第１係合部が突出し、
前記第３カバー部からは、前記搬送路板の側面と重なるように延在して前記搬送路板の前記搬送路とは反対側の面に重なる第２係合部が突出していることを特徴とする請求項４に記載の記録媒体処理装置。
【請求項６】
前記第１係合部は、前記第２カバー部の前記第１カバー部とは反対側の端部に設けられ、
前記第２係合部は、前記第３カバー部の前記第１カバー部とは反対側の端部に設けられていることを特徴とする請求項５に記載の記録媒体処理装置。
【請求項７】
前記第１係合部において前記搬送路とは反対側に位置する部分の縁、および前記第２係合部において前記搬送路とは反対側に位置する部分の縁のうちの少なくとも一方には、前記搬送路板から離間する方向に突出した突出部が設けられていることを特徴とする請求項５または６に記載の記録媒体処理装置。
【請求項８】
前記搬送路カバーは、前記搬送路板において前記記録媒体の搬送方向に対して直交する方向に位置する側面に重なる側板部を有することを特徴とする請求項１乃至７の何れか一項に記載の記録媒体処理装置。
【請求項９】
前記搬送路板は、前記記録媒体が搬送される際、前記記録媒体の一方面を支持することを特徴とする請求項１乃至８の何れか一項に記載の記録媒体処理装置。
【請求項１０】
前記記録媒体は、情報が記録されたカードであることを特徴とする請求項１乃至９の何れか一項に記載の記録媒体処理装置。
【請求項１１】
記録媒体処理装置において記録媒体が搬送される搬送路に面する搬送路板に重なった状
態に配置される搬送路カバーであって、
板厚方向に可撓性を有する板の両端側に前記搬送路板と係合する係合部を有することを特徴とする搬送路カバー。
【発明の詳細な説明】
【技術分野】
【０００１】
本発明は、記録媒体が搬送される搬送路を備えた記録媒体処理装置、および記録媒体処理装置に用いられる搬送路カバーに関するものである。
【背景技術】
【０００２】
記録媒体処理装置では、搬送路を記録媒体が搬送される間に情報の再生や記録が行われる。ここで、記録媒体が、情報が磁気記録されたカードである場合、記録媒体処理装置はカードリーダとして構成され、磁気ヘッド等によってカードから情報が再生される（特許文献１参照）。かかる記録媒体処理装置において、搬送路には、搬送路に面するように搬送路板が設けられ、記録媒体は、搬送路板に沿って搬送される。
【先行技術文献】
【特許文献】
【０００３】
【特許文献１】特開２０１１−２４８６５２号公報
【発明の概要】
【発明が解決しようとする課題】
【０００４】
特許文献１等に記載の記録媒体処理装置においては、搬送路や搬送機構等の基本的な構成を共通にしたまま、光学センサによって記録媒体の検出等を行うことが要求されることがある。従って、予め、搬送路板に穴を設けておけば、オプションとして、穴を介して光学センサによる検出を行うことができる。それ故、基本的な構成が同一の記録媒体処理装置を、光学センサによる検出を行うタイプの記録媒体処理装置、および光学センサによる検出を行わないタイプの記録媒体処理装置のいずれとしても用いることができる。
【０００５】
しかしながら、後者の記録媒体処理装置として用いた際、穴が無用であるにもかかわらず、端部が曲がった記録媒体等が搬送路を搬送される際、記録媒体の端部が穴に引っ掛ってトラブルが発生する可能性がある。
【０００６】
以上の問題点に鑑みて、本発明の課題は、搬送路に面するように配置された搬送路板に穴が設けられている場合でも、記録媒体の端部が穴に引っ掛かるという不具合を解消することのできる記録媒体処理装置、および記録媒体処理装置用の搬送路カバーを提供することにある。
【課題を解決するための手段】
【０００７】
上記の課題を解決するため、本発明の記録媒体処理装置は、記録媒体の搬送方向に沿って延在する搬送路と、前記搬送路に面し、前記搬送路側で開口する穴が設けられた搬送路板と、前記搬送路側から前記穴を覆うように前記搬送路板に重なった状態で前記搬送路板に保持された搬送路カバーと、を有することを特徴とする。
【０００８】
本発明では、搬送路に面するように配置された搬送路板には穴が設けられているが、搬送路板には、搬送路側から穴を覆う搬送路カバーが保持されている。このため、記録媒体の端部が穴に引っ掛かるという不具合を解消することができる。また、搬送路カバーを搬送路板に取り付けなければ、穴を介して光学センサによる記録媒体の検出等を行うことができる。それ故、基本的な構成が同一の記録媒体処理装置を、穴を介して光学センサによる検出等を行わないタイプの記録媒体処理装置として用いることができる一方、搬送路カバーを外せば、光学センサによって記録媒体の検出等を行うタイプの記録媒体処理装置として用いることができる。
【０００９】
本発明において、前記搬送路カバーは、板厚方向に可撓性を有する板からなる態様を採用することができる。
【００１０】
本発明において、前記搬送路カバーは、前記記録媒体の搬送方向の両端側での前記搬送路板との係合によって前記搬送路板に保持されている態様を採用することができる。すなわち、本発明の別の態様は、記録媒体処理装置において記録媒体が搬送される搬送路に面する搬送路板に重なった状態に配置される搬送路カバーであって、板厚方向に可撓性を有する板の両端側に前記搬送路板と係合する係合部を有することを特徴とする。かかる態様によれば、多大な手間をかけずに、搬送路カバーを搬送路板に対して脱着することができる。
【００１１】
本発明において、前記搬送路板は、前記記録媒体の搬送方向と平行な平板状の第１板部と、前記第１板部に前記記録媒体の搬送方向の一方側で連接し、前記搬送路から離間する方向に斜めに傾いた第２板部と、前記第１板部に前記記録媒体の搬送方向の他方側で連接し、前記搬送路から離間する方向に斜めに傾いた第３板部と、を有し、前記搬送路カバーは、前記第１板部に重なる第１カバー部と、前記第２板部に重なる第２カバー部と、前記第３板部に重なる第３カバー部と、を有することが好ましい。かかる構成によれば、記録媒体が搬送路板や搬送路カバーに引っ掛かることを抑制することができる。
【００１２】
本発明において、前記第２カバー部からは、前記搬送路板の側面と重なるように延在して前記搬送路板の前記搬送路とは反対側の面に重なる第１係合部が突出し、前記第３カバー部からは、前記搬送路板の側面と重なるように延在して前記搬送路板の前記搬送路とは反対側の面に重なる第２係合部が突出していることが好ましい。かかる構成によれば、搬送路カバーを搬送路板に対して容易に脱着することができる。
【００１３】
本発明において、前記第１係合部は、前記第２カバー部の前記第１カバー部とは反対側の端部に設けられ、前記第２係合部は、前記第３カバー部の前記第１カバー部とは反対側の端部に設けられている態様を採用することができる。かかる構成によれば、第１係合部と第２係合部とが大きく離間した位置に設けられるので、搬送路カバーを搬送路板に対して確実に装着することができる。
【００１４】
本発明において、前記第１係合部において前記搬送路とは反対側に位置する部分の縁、および前記第２係合部において前記搬送路とは反対側に位置する部分の縁のうちの少なくとも一方には、前記搬送路板から離間する方向に突出した突出部が設けられていることが好ましい。かかる構成によれば、突出部を摘まんで搬送路板から離間する方向に移動させれば、第１係合部または第２係合部での係合を容易に解除することができる。
【００１５】
本発明において、前記搬送路カバーは、前記搬送路板において前記記録媒体の搬送方向に対して直交する方向に位置する側面に重なる側板部を有する態様を採用することができる。かかる構成によれば、側板部によって搬送路カバーと搬送路板とを位置決めすることができるので、搬送路カバーを搬送路板の適正な位置に設けることができる。
【００１６】
本発明において、前記搬送路板は、前記記録媒体が搬送される際、前記記録媒体の一方面を支持する態様を採用することができる。
【００１７】
本発明において、前記記録媒体は、例えば、情報が記録されたカードである。
【発明の効果】
【００１８】
本発明では、搬送路に面するように配置された搬送路板には穴が設けられているが、搬
送路板には、搬送路側から穴を覆う搬送路カバーが保持されている。このため、記録媒体の端部が穴に引っ掛かるという不具合を解消することができる。また、搬送路カバーを搬送路板に取り付けなければ、穴を介して光学センサによる記録媒体の検出等を行うことができる。それ故、基本的な構成が同一の記録媒体処理装置を、穴を介して光学センサによる検出等を行わないタイプの記録媒体処理装置として用いることができる一方、搬送路カバーを外せば、光学センサによって記録媒体の検出等を行うタイプの記録媒体処理装置として用いることができる。
【図面の簡単な説明】
【００１９】
【図１】本発明を適用した記録媒体処理装置の平面図である。
【図２】本発明を適用した記録媒体処理装置に搬送路カバーを取り付ける前の状態の平面図である。
【図３】本発明を適用した記録媒体処理装置の搬送路板および搬送路カバーの斜視図である。
【図４】本発明を適用した記録媒体処理装置の搬送路板および搬送路カバーの側面図である。
【発明を実施するための形態】
【００２０】
以下、本発明の実施の形態を図面に基づいて説明する。以下の説明では、図１および図２等に示すＸ方向に記録媒体２が搬送される。Ｚ方向は、記録媒体２の厚さ方向であり、Ｙ方向は、記録媒体２の移動方向であるＸ方向と記録媒体２の厚さ方向であるＺ方向とに直交する記録媒体２の幅方向である。なお、以下の説明では、Ｘ１方向側を「手前側（前側）」、Ｘ２方向側を「奥側」、Ｙ１方向側を「右」、Ｙ２方向側を「左」、Ｚ１方向側を「上側」、Ｚ２方向側を「下側」とする。
【００２１】
（記録媒体処理装置の概略構成）
図１は、本発明を適用した記録媒体処理装置１の平面図である。図２は、本発明を適用した記録媒体処理装置１に搬送路カバーを取り付ける前の状態の平面図である。なお、図１には、搬送路カバー５に右上がりの斜線を付し、図には、搬送路板４に右下がりの斜線を付してある。
【００２２】
図１および図２において、本形態の記録媒体処理装置１は、記録媒体２に記録された情報の再生や記録媒体２への情報の記録を行うための装置である。本形態において、記録媒体２はカードであり、記録媒体処理装置１はカードリーダである。記録媒体２は、例えば、厚さが０．７〜０．８ｍｍ程度の矩形状の塩化ビニール製のカードである。また、記録媒体２は、表面に、磁気情報が記録される磁気ストライプ（図示せず）が形成された磁気カードである。また、記録媒体２の表面には、ＩＣチップ（図示せず）が固定されている。すなわち、本形態の記録媒体２は、接触式のＩＣカードでもある。
【００２３】
フレーム２０の内部には、記録媒体２の挿入口２１から搬送方向（Ｘ方向）に沿って直線的に延在する搬送路２２が構成されており、矢印Ｍで示すように、記録媒体２は、搬送路２２に沿って搬送される。搬送路２２の幅方向の両側には、記録媒体２の幅方向の両端をガイドするガイド部２３、２４が構成されている。記録媒体処理装置１は、記録媒体２を搬送路２２に沿って搬送する搬送機構３を有しており、搬送機構３は、挿入口２１から挿入された記録媒体２を奥側（Ｘ２方向側）に搬送し、所定の処理が終了した後、手前側（Ｘ１方向側）に搬送して挿入口２１から排出する。搬送機構３は、モータ３１と、モータ３１の回転を伝達するベルト伝達機構３２とを有しており、モータ３１の回転は、ベルト伝達機構３２を介して回転軸３３に伝達される。回転軸３３には、搬送路２２に対してＺ方向で重なる位置にローラ３４が固定されており、記録媒体２は、ローラ３４の回転によって搬送される。ここで、記録媒体処理装置１では、搬送路２２に面するようにＩＣ接
点モジュール１１および磁気ヘッド１２等が配置されており、搬送路２２を搬送される記録媒体２から各種情報の再生や記録が行われる。
【００２４】
このように構成した記録媒体処理装置１において、フレーム２０の内側には、搬送路２２に下側（Ｚ２方向側）から面するように搬送路板４（図２で斜線を付した部材）が配置されており、搬送路板４は、フレーム２０に固定されている。搬送路板４は、記録媒体２が搬送される際、記録媒体２の一方面（下面）を支持する。また、本形態の記録媒体処理装置１では、搬送路２２側（上側／Ｚ１方向側）から搬送路板４に搬送路カバー５（図１で斜線を付した部材）が重なっている。
【００２５】
搬送路板４および搬送路カバー５は、記録媒体２の搬送方向に沿って延在し、搬送路２２の搬送方向の略全体に配置されている。但し、搬送路板４および搬送路カバー５の幅は、搬送路２２の幅より狭く、搬送路板４および搬送路カバー５は、搬送路２２の幅方向において左側（Ｙ２方向側）の端部に配置されている。本形態では、搬送路２２に対して搬送路板４および搬送路カバー５とは反対側（上側／Ｚ１方向側）には、上面カバー２５が設けられ、上面カバー２５は、搬送路板４および搬送路カバー５の左側（Ｙ２方向側）の端部に、搬送路２２を介して上側（Ｚ１方向側）で対向している。
【００２６】
ここで、搬送路板４には、搬送路２２側で開口する貫通穴からなる穴４９が形成されている。本形態において、穴４９は、搬送方向で離間する個所に形成された穴４９１、４９２、４９３からなる。穴４９は、オプションとして光学センサによって記録媒体２の検出等を行うための開口部である。従って、図２に示すように、搬送路カバー５を搬送路板４に取り付けなければ、穴４９を介して光学センサによって記録媒体２の検出等を行うことができる。本形態では、光学センサによって記録媒体２の検出等を行わない場合、図１に示すように、搬送路カバー５を搬送路板４に取り付け、搬送路カバー５によって穴４９を覆った状態で記録媒体処理装置１を用いる。
【００２７】
（搬送路板４および搬送路カバー５の構成）
図３は、本発明を適用した記録媒体処理装置１の搬送路板４および搬送路カバー５の斜視図であり、図３（ａ）、（ｂ）は各々、搬送路板４と搬送路カバー５とを分離した状態の斜視図、および搬送路板４に搬送路カバー５を重ねた状態の斜視図である。図４は、本発明を適用した記録媒体処理装置１の搬送路板４および搬送路カバー５の側面図であり、図４（ａ）、（ｂ）、（ｃ）は各々、搬送路板４と搬送路カバー５とを分離した状態の側面図、搬送路板４に搬送路カバー５を重ねた状態の側面図、および搬送路板４と搬送路カバー５との両端における係合状態を示す側面図である。
【００２８】
図３および図４に示すように、搬送路板４は、記録媒体２の搬送方向と平行な平板状の第１板部４１と、第１板部４１に搬送方向の一方側（手前側／Ｘ１方向側）で連接する第２板部４２と、第１板部４１に搬送方向の他方側（奥側／Ｘ２方向側）で連接する第３板部４３とを有している。第２板部４２は、手前側（Ｘ１方向側）に向かうに従って搬送路２２から離間する方向に斜めに傾いた傾斜板部であり、第３板部４３は、奥側（Ｘ２方向側）に向かうに従って搬送路２２から離間する方向に斜めに傾いた傾斜板部である。
【００２９】
搬送路板４は、第１板部４１の右側（Ｙ１方向側）の縁から下側（Ｚ２方向側）に屈曲した第４板部４４と、第１板部４１の左側（Ｙ２方向側）の縁から下側（Ｚ２方向側）に屈曲した第５板部４５とを有しており、かかる第４板部４４および第５板部４５は、図１に示すフレーム２０に対する位置決めや固定等に用いられる。従って、第４板部４４および第５板部４５は搬送路２２に面していない。本形態において、第４板部４４は、第１板部４１と同様の長さにわたって形成されているのに対して、第５板部４５は、第１板部４１の長さ方向の中央寄りの位置のみに形成されている。また、第４板部４４は、上下方向
（Ｚ方向）の寸法が第５板部４５より大であり、第４板部４４には、複数の穴４４１が形成されている。但し、第４板部４４は搬送路２２に面しておらず、穴４４１は以下に説明する搬送路カバー５で覆われてはいない。
【００３０】
搬送路カバー５は、搬送路板４に対して搬送路２２側で重なっており、搬送路板４の第１板部４１に重なる第１カバー部５１と、搬送路板４の第２板部４２に重なる第２カバー部５２と、搬送路板４の第３板部４３に重なる第３カバー部５３とを有している。従って、第２カバー部５２が搬送路板４の３つの穴４９（穴４９１、４９２、４９３）を覆っている。第１カバー部５１の幅は、搬送路板４の第１板部４１の幅より狭く、第１カバー部５１は、搬送路板４の幅方向の略中央に重なっている。ここで、第１カバー部５１は、搬送方向に沿う方向の略全体にわたって一定の幅を有しているが、手間側では、幅が狭くなっている。
【００３１】
搬送路カバー５は、板厚方向に可撓性を有する板からなる。本形態において、搬送路カバー５は、ステンレス板等の金属板からなる。搬送路カバー５は、搬送方向の両端側での搬送路板４との係合によって搬送路板４に保持されている。より具体的には、搬送路カバー５において、第２カバー部５２からは、搬送路板４の側面４６と重なるように延在して搬送路板４の搬送路２２とは反対側の面に重なる第１係合部５６が突出しており、第１係合部５６は、搬送路板４の第２板部４２と係合している。また、搬送路カバー５において、第３カバー部５３からは、搬送路板４の側面４６と重なるように延在して搬送路板４の搬送路２２とは反対側の面に重なる第２係合部５７が突出しており、第２係合部５７は、搬送路板４の第３板部４３と係合している。
【００３２】
本形態において、第１係合部５６は、第２カバー部５２の第１カバー部５１とは反対側の端部に設けられている。このため、第１係合部５６は、搬送路２２側から搬送路板４の手前側の側面４６１と重なるように延在して搬送路板４の搬送路２２とは反対側の面に重なり、搬送路板４の第２板部４２と係合している。また、第２係合部５７は、第３カバー部５３の第１カバー部５１とは反対側の端部に設けられている。このため、第２係合部５７は、搬送路２２側から搬送路板４の奥側の側面４６２と重なるように延在して搬送路板４の搬送路２２とは反対側の面に重なり、搬送路板４の第３板部４３と係合している。
【００３３】
また、搬送路カバー５において、第１係合部５６において搬送路２２とは反対側に位置する部分の縁、および第２係合部５７において搬送路２２とは反対側に位置する部分の縁のうちの少なくとも一方には、搬送路板４から離間する方向に突出した突出部５８が設けられている。本形態において、突出部５８は、第２係合部５７において搬送路２２とは反対側に位置する部分の縁（先端部）に設けられており、円弧状に湾曲した形状になっている。従って、突出部５８を摘まんで搬送路板４から離間する方向に移動させれば、第２係合部５７での係合を容易に解除することができ、その後、搬送路カバー５をずらせば、第１係合部５６での係合も容易に解除することができる。それ故、搬送路板４に搬送路カバー５を取り付けた状態で、記録媒体処理装置１で製造した後、穴４９を利用して、光学センサでの検出等を行うように調整する際、搬送路カバー５を搬送路板４から容易に外すことができる。
【００３４】
また、搬送路カバー５は、搬送路板４において搬送方向に対して直交する方向に位置する側面４６に重なる側板部５９を有している。本形態において、搬送路カバー５は、搬送方向において離間する複数個所に、搬送路板４において搬送方向に対して直交する方向に位置する側面４６に重なる側板部５９を有している。本形態において、側板部５９は、第２カバー部５２の右側の縁から下方に屈曲して搬送路板４の第２板部４２の右側の側面に重なるように構成されている。また、側板部５９は、第３カバー部５３の左右両側の縁から下方に屈曲して搬送路板４の第３板部４３の左右両側の側面に重なるように構成されて
いる。従って、側板部５９によって搬送路カバー５と搬送路板４とを左右方向で位置決めすることができるので、搬送路カバー５を左右方向で搬送路板４の適正な位置に設けることができる。
【００３５】
（本形態の主な効果）
以上説明したように、本形態の記録媒体処理装置１は、記録媒体２の搬送路２２と、搬送路２２に面する搬送路板４と、搬送路２２側から搬送路板４に重なった状態で搬送路板４に保持された搬送路カバー５とを有している。このため、搬送路板４には穴４９が設けられているが、穴４９は搬送路カバー５で覆われている。従って、端部が曲がった記録媒体２等が搬送路２２を搬送される際でも、記録媒体２の端部が穴４９に引っ掛かるという不具合を解消することができる。また、搬送路カバー５を搬送路板４に取り付けなければ、穴４９を介して光学センサによって記録媒体の検出等を行うことができる。それ故、基本的な構成が同一の記録媒体処理装置１を、穴４９を介して光学センサによって記録媒体２の検出等を行わないタイプの記録媒体処理装置として用いることができる一方、搬送路カバー５を外せば、光学センサによって記録媒体の検出等を行わないタイプの記録媒体処理装置等として用いることができる。
【００３６】
また、搬送路カバー５は、搬送方向の両端側での搬送路板４との係合によって搬送路板４に保持されているため、多大な手間をかけずに、搬送路カバー５を搬送路板４に対して脱着することができる。より具体的には、搬送路カバー５は、板厚方向に可撓性を有する平板状の板からなるとともに、両側側に搬送路板４の端部に係合する係合部（第１係合部５６および第２係合部５７）を有している。従って、搬送路カバー５を搬送路板４に対して容易に脱着することができる。
【００３７】
また、搬送路板４は、搬送中の記録媒体２と平行な平板状の第１板部４１の両側に、搬送路２２から離間する方向に斜めに傾いた傾斜板部（第２板部４２および第３板部４３）を有し、搬送路カバー５は、第１板部４１に重なる第１カバー部５１と、第２板部に重なる第２カバー部５２と、第３板部４３に重なる第３カバー部５３とを有している。このため、記録媒体２が搬送路板４や搬送路カバー５に引っ掛かることを抑制することができる。
【００３８】
［他の実施の形態］
上記実施の形態において、第１係合部５６および第２係合部５７は各々、搬送路カバー５の第２カバー部５２の搬送方向の縁、および第３カバー部５３の搬送方向の縁に連接するように構成されていたが、搬送路カバー５において搬送方向に直交する方向の両縁に連接するように係合部を形成してもよい。
【００３９】
上記実施の形態では、搬送路カバー５によって搬送路板４の穴４９の全てを覆ったが、複数の穴４９が形成されている場合に、複数の穴４９の一部のみを覆い、他の穴４９について開放状態にしてもよい。
【符号の説明】
【００４０】
１…記録媒体処理装置、２…記録媒体、３…搬送機構、４…搬送路板、５…搬送路カバー、６…搬送路、１１…ＩＣ接点モジュール、１２…磁気ヘッド、２０…フレーム、２１…挿入口、２２…搬送路、３１…モータ、３２…ベルト伝達機構、３４…ローラ、４１…第１板部、４２…第２板部、４３…第３板部、４４…第４板部、４５…第５板部、４９、４９１、４９２、４９３…穴、５１…第１カバー部、５２…第２カバー部、５３…第３カバー部、５６…第１係合部、５７…第２係合部、５８…突出部、５９…側板部
【図１】
0006560994.tif 000002
【図２】
0006560994.tif 000003
【図３】
0006560994.tif 000004
【図４】
0006560994.tif 000005